(57)【要約】      （修正有）【課題】開度表示機能を有する操作部が外部からの力によってその機能を失う可能性を低くする。【解決手段】開度表示機能つき開閉弁２０は、操作部３２を備える。操作部３２は、弁棒２８を回転させる。操作部３２が、カップ型ハンドル１００と遊星歯車機構１０２とを有している。遊星歯車機構１０２が、太陽歯車と、遊星歯車と、開度情報つき回転部材１２４とを有している。太陽歯車は、弁棒２８を貫通させる状態でカップ型ハンドル１００内に配置固定される。開度情報つき回転部材１２４は、遊星歯車の回転軸が設けられる。カップ型ハンドル１００の内面には、内歯車が設けられている。【選択図】図１
2011052817.tif 000002
【特許請求の範囲】
【請求項１】
弁棒を回転させるための操作部とを備える開度表示機能つき開閉弁であって、
前記操作部が、
前記弁棒と共回りする筐体と、
前記筐体に収容される遊星歯車機構とを有しており、
前記遊星歯車機構が、
前記弁棒を貫通させる状態で前記筐体内に配置固定される太陽歯車と、
前記太陽歯車にかみ合う遊星歯車と、
前記遊星歯車の回転軸が設けられ、かつ、開度情報を示す、開度情報つき回転部材とを有しており、
前記筐体の前記開度情報に対向する部分には、窓が設けられており、
前記筐体の内面には、前記遊星歯車にかみ合う内歯車が設けられていることを特徴とする、開度表示機能つき開閉弁。
【請求項２】
前記遊星歯車機構が、複数の前記遊星歯車を有しており、
前記筐体が、
前記弁棒と共回りする筐体本体と、
前記筐体本体に設けられ、前記弁棒を回転させるためのトルクを受けるトルク受け部とを有しており、
前記開度情報が、前記開度情報つき回転部材のうち前記筐体本体の内面に対向する箇所に示されており、
前記窓が、前記筐体本体のうち前記開度情報に対向する部分に設けられ、
前記内歯車は、前記筐体本体のうち前記複数の遊星歯車を取り囲む部分に設けられることを特徴とする、請求項１に記載の開度表示機能つき開閉弁。
【請求項３】
前記筐体本体が、
前記複数の遊星歯車を取り囲む側面部と、
前記開度情報つき回転部材を覆う天井部とを有しており、
前記内歯車は、前記側面部に設けられており、
前記トルク受け部が、
前記側面部から前記弁棒の直径方向に突出する支持材と、
前記支持材に設けられ、前記側面部を前記弁棒の回転方向に沿うように取り囲む取っ手とを有しており、
前記窓が、前記天井部に設けられることを特徴とする、請求項２に記載の開度表示機能つき開閉弁。
【請求項４】
前記太陽歯車と前記遊星歯車と前記内歯車とが、前記弁棒に直交する平面上でかみあっていることを特徴とする、請求項１に記載の開度表示機能つき開閉弁。
【請求項５】
前記開度情報つき回転部材が、前記弁棒に対して傾斜する傾斜面を有しており、
前記開度情報が、前記傾斜面に示されており、
前記窓が、前記傾斜面のうち前記開度情報に対向する部分に設けられていることを特徴とする、請求項１に記載の開度表示機能つき開閉弁。
【請求項６】
前記開度表示機能つき開閉弁は、
弁箱と、
前記弁箱に取付けられる弁蓋とをさらに備え、
前記弁蓋は、前記弁棒が貫通するガイド孔を有しており、
前記ガイド孔の内周面にはめねじが形成されており、
前記弁棒が、
前記めねじにねじ込まれるおねじ部と、
前記操作部が設けられる操作設置部とを有していることを特徴とする、請求項１に記載の開度表示機能つき開閉弁。
【発明の詳細な説明】
【技術分野】
【０００１】
本発明は、開度表示機能つき開閉弁に関し、さらに詳しくは、開度表示機能を有する操作部が外部からの力によってその開度表示機能を失う可能性を低くすることができる開度表示機能つき開閉弁に関する。
【背景技術】
【０００２】
特許文献１は、弁装置の開度計を開示する。この開度計は、弁装置の上部へ固着した中空円盤状ケースの中空部へ、弁棒と共回りする小径外歯車と、小径外歯車と噛合して減速する減速歯車と、減速歯車と噛合する大径内歯車とをそれぞれ回転自在に支持して収容する。この開度計は、円盤状ケースの外周側面とそこから外側へはみ出して露呈する大径内歯車側面との何れか一方に矢印マークを表示し、他方に開度を示す目盛を表示する。
【０００３】
特許文献１に開示された開度計によると、薄暗くて目盛が見えにくい条件でも表示を明瞭にできるので、開度の確認が容易となる。
【０００４】
特許文献２は、弁装置の開度計を開示する。この開度計は、地下管路に介装し必要時に地上から弁を開閉する弁装置の開度計である。この開度計は、弁装置の何れかの位置で固定される板状の固定板と、主動板と、作動板と、遊転小歯車と、第１大径内歯車と、第２大径内歯車とを備える。固定板は中空円を有している。主動板は弁棒と共回りする。主動板は固定板の中空円内へ嵌め込まれる。作動板は、主動板の外周面および固定板の外周近くの上面にかけて装着される。遊転小歯車は、主動板の外周側近くへ設けられる。第１大径内歯車は、作動板の内周側に設けられ、遊転小歯車と噛み合う。第２大径内歯車は、遊転小歯車と噛み合い第１大径内歯車と歯数を違えて固定板の内周側へ設けられる。固定板の外周近くの面上および作動板の面上の何れか一方に基準マークが記されており、残る他方に開度目盛が記されている。
【０００５】
特許文献２に開示された開度計によると、地下管路に介装した既設の弁装置へ開度計を手軽に取付けて固定でき、かつ、開度の表示が明確で薄暗い箇所でも誤認の恐れを軽減できる。
【０００６】
特許文献３は、仕切弁用開度計を開示する。この開度計は、仕切弁の本体上部に弁棒を中心として固定される大径の第１リングと、第１リングの上に回転可能に設けられる小径の第２リングと、弁棒に設けられたピニオンと、第１リングおよび第２リングの内周部に同軸上に設けられてピニオンにそれぞれ歯合する同径で歯数が異なる第１歯車および第２歯車と、第１リングおよび第２リングの上面部にそれぞれ設けられた開度表示部とを備える。
【０００７】
特許文献３に開示された開度計は、簡単な構造で視認性に優れ、さらに、埋設型の仕切弁に容易に対応できる。
【０００８】
特許文献４は、開度計を開示する。この開度計は、開閉弁の弁体を開閉操作する回転操作部材と、回転操作部材と一体となって回転する支持部材と、支持部材に回転自在に支持される開度情報つき回転部材と、開度情報つき回転部材に接続される回転伝達機構と、開閉弁の本体側に固定される基体と、基体の周囲を公転することに基づき開度情報つき回転部材を回転させる回転駆動機構と、支持部材と同じ回転軸線上に回転自在に支持される表示部材と、指示部材とを備える。指示部材は、回転操作部材と一体として回転する。回転伝達機構は、開度情報つき回転部材の回転を表示部材へ伝達する。
【０００９】
特許文献４に開示された開度計は、ハンドルの回転量に応じて変化する開度表示部分の移動量を任意に調整できる。
【００１０】
特許文献５は、開度計付き外ねじ式仕切弁を開示する。この開度計付き外ねじ式仕切弁において、弁箱内に昇降自在に設けられた流路開閉用弁体に弁棒の下端部が連結される。弁箱の上端部にスリーブを介してハンドルが回転自在に設けられる。弁棒の上部に形成された雄ねじ部が、スリーブに形成された雌ねじ部にねじ込まれる。ハンドルを正逆回転させて弁棒を昇降させることにより、弁体は弁棒と一体に昇降して流路を開閉する。この開度計付き外ねじ式仕切弁には開度計が取付けられる。開度計は、一対の連動歯車と、歯車機構とを有する。連動歯車は、ハンドルのボス部の上面に弁棒と同心状に回転自在に配設され、歯数が相違し、同径同心状である。歯車機構は、ボス部に設けられ、ハンドルの回転に連動して連動歯車を回転させる。連動歯車のうち一方に開度目盛が形成され、他方に目盛用指針が形成される。
【００１１】
特許文献５に開示された開度計付き外ねじ式仕切弁は、ハンドル操作をしながら開度計の表示を容易に読み取ることができ、しかも、開度計が機材や工具等で不測に損傷されない。
【００１２】
特許文献６は、開度計を開示する。この開度計は、弁棒を１回転以上させて流路の開閉を行う弁に取付けられる。この開度計は、弁棒を回転させるハンドルと、ハンドル上方から視認される開閉表示記号を有する開閉表示部材とを備える。この開閉表示装置は、ハンドルと開閉表示部材との間に、歯車伝達装置が介在されていることを特徴とする。歯車伝達装置は、流路を全開から全閉にするまでに必要なハンドルの回転量をπ[rad]よりも小さい角度に減少して開閉表示部材に伝達する。
【００１３】
特許文献６に開示された開度計は、全開状態および全閉状態を正確に読み取ることができる。
【先行技術文献】
【特許文献】
【００１４】
【特許文献１】特開平０７−２０８６４０号公報
【特許文献２】特開平０８−２９１８７８号公報
【特許文献３】特開平０９−１５２０５６号公報
【特許文献４】特開２００８−３０３９０２号公報
【特許文献５】特開平０６−３２３４６６号公報
【特許文献６】特開２０００−１７９７４３号公報
【発明の概要】
【発明が解決しようとする課題】
【００１５】
特許文献１ないし特許文献４に開示された開時計では、機材や工具などが衝突するという不測の事態があったとき、容易に損傷することがあるという問題点がある。開時計を構成する部材に対する保護がほとんどなされていないためである。
【００１６】
特許文献５に開示された開度計付き外ねじ式仕切弁では、歯車機構にゴミがつまるなどしたとき、歯車機構が破損してその機能を失うことがあるという問題点がある。特許文献５に開示された開度計付き外ねじ式仕切弁では、ハンドルの回転に連動して連動歯車を回転させるとき、歯車機構の回転軸に曲げモーメントを加えているためである。
【００１７】
特許文献６に開示された開度計では、大型の弁に対してこの開時計を適用するとき、外からの力に対抗できるほどの機械的強度を確保することが難しいという問題点がある。特許文献６に開示された開度計では、ハンドルが歯車伝達装置を保護する構造となっている。そのハンドルを支持する場所が、ハンドルと弁棒との接続点を除いて見当たらないためである。
【００１８】
本発明は、上述した問題点を解決するためになされたものであって、その目的は、開度表示機能を有する操作部が外部からの力によってその機能を失う可能性を低くすることができる開度表示機能つき開閉弁を提供することにある。
【課題を解決するための手段】
【００１９】
図面を参照して本発明の開度表示機能つき開閉弁を説明する。なお、この欄で図中の符号を使用したのは、発明の内容の理解を助けるためであって、内容を図示した範囲に限定する意図ではない。
【００２０】
上述した課題を解決するために、本発明のある局面に従うと、開度表示機能つき開閉弁２０，５０，７０は、操作部３２，６２，８２を備える。操作部３２，６２，８２は、弁棒２８，５８を回転させる。操作部３２，６２，８２が、弁棒２８，５８と共回りする筐体１００，１６０，１８０と、筐体１００，１６０，１８０に収容される遊星歯車機構１０２，１６２，１８２とを有している。遊星歯車機構１０２，１６２，１８２が、太陽歯車１２０ａ，５２０ａ，６２０と、遊星歯車１２２，５２２と、開度情報つき回転部材１２４，５２４とを有している。太陽歯車１２０ａ，５２０ａ，６２０は、弁棒２８，５８を貫通させる状態で筐体１００，１６０，１８０内に配置固定される。遊星歯車１２２，５２２は、太陽歯車１２０ａ，５２０ａ，６２０にかみ合う。開度情報つき回転部材１２４，５２４は、遊星歯車１２２，５２２の回転軸が設けられる。開度情報つき回転部材１２４，５２４は、開度情報を示す。筐体１００，１６０，１８０の開度情報に対向する部分には、窓１３０，１７０が設けられている。筐体１００，１６０，１８０の内面には、遊星歯車１２２，５２２にかみ合う内歯車１１２ｂ，１６１，２００が設けられている。
【００２１】
筐体１００，１６０，１８０は、弁棒２８，５８と共回りする。筐体１００，１６０，１８０の内面には、遊星歯車１２２，５２２にかみ合う内歯車１１２ｂ，１６１，２００が設けられている。遊星歯車１２２，５２２は、太陽歯車１２０ａ，５２０ａ，６２０にもかみ合う。太陽歯車１２０ａ，５２０ａ，６２０は、弁棒２８，５８を貫通させる状態で筐体１００，１６０，１８０内に配置固定される。これにより、筐体１００，１６０，１８０が弁棒２８，５８と共回りすると、遊星歯車１２２，５２２は弁棒２８，５８の回転軸の周りを回る。開度情報つき回転部材１２４，５２４は、遊星歯車１２２，５２２の回転軸が設けられているので、遊星歯車１２２，５２２と共に弁棒２８，５８の回転軸の周りを回る。一方、開度情報つき回転部材１２４，５２４のうち筐体１００，１６０，１８０の内面に対向する部分１２４ａ，５２４ａには、開度情報が示されている。筐体１００，１６０，１８０の開度情報に対向する部分には、窓１３０，１７０が設けられている。筐体１００，１６０，１８０が弁棒２８，５８と共回りすると、開度情報つき回転部材１２４，５２４が弁棒２８，５８の回転軸の周りを回るので、窓１３０，１７０の外から見える開度情報は弁棒２８，５８の開度に応じて異なる。その結果、開閉弁２０，５０，７０は、開度表示機能を有することとなる。
【００２２】
また、この開度表示機能つき開閉弁２０，５０，７０において、内歯車１１２ｂ，１６１，２００は、遊星歯車１２２，５２２にかみ合う。内歯車１１２ｂ，１６１，２００は、筐体１００，１６０，１８０の内面に設けられている。筐体１００，１６０，１８０は、弁棒２８，５８に設けられる。これにより、筐体１００，１６０，１８０の外側から力がかかったとき、その力は、筐体１００，１６０，１８０から弁棒２８，５８へ直接伝わるほか、内歯車１１２ｂ，１６１，２００と、遊星歯車１２２，５２２と、太陽歯車１２０ａ，５２０ａ，６２０とを経て間接に弁棒２８，５８へ伝わる。力が分散して伝わるので、筐体１００，１６０，１８０が受けた力を遊星歯車機構１０２，１６２，１８２が伝えない場合に比べ、弁棒２８，５８が受ける曲げモーメントは小さくなる。その曲げモーメントが小さくなるので、操作部３２，６２，８２が受けられる力は大きくなる。
【００２３】
以上述べたことから、開度表示機能つき開閉弁２０，５０，７０は、操作部３２，６２，８２が外部からの力によってその機能を失う可能性を低くすることができる。
【００２４】
また、上述した遊星歯車機構１０２，１６２が、複数の遊星歯車１２２，５２２を有していることが望ましい。この場合、筐体１００，１６０が、弁棒２８，５８と共回りする筐体本体１００，１６０ａと、筐体本体１００，１６０ａに設けられるトルク受け部１１２ｃ，１６０ｂとを有している。トルク受け部１１２ｃ，１６０ｂは、弁棒２８，５８を回転させるためのトルクを受ける。開度情報が、開度情報つき回転部材１２４，５２４のうち筐体本体１００，１６０ａの内面に対向する箇所に示されている。窓１３０，１７０が、筐体本体１００，１６０ａのうち開度情報に対向する部分に設けられる。内歯車１１２ｂ，１６１は、筐体本体１００，１６０ａのうち複数の遊星歯車１２２，５２２を取り囲む部分に設けられる。
【００２５】
このように構成すると、窓１３０，１７０やそこから見える開度情報を遮らないようトルク受け部１１２ｃ，１６０ｂを設けることが容易となる。筐体１００，１６０が有する筐体本体１００，１６０ａを介して弁棒２８，５８を回転させるためのトルクを受けることができるためである。その上、トルク受け部１１２ｃ，１６０ｂに加わった力の一部は内歯車１１２ｂ，１６１を介して複数の遊星歯車５２２へ分散して伝わる。そのように力が伝わることで、操作部３２，６２全体としての丈夫さは向上する。また、内歯車１１２ｂ，１６１が、筐体本体１００，１６０ａのうち複数の遊星歯車１２２，５２２を取り囲む部分に設けられているので、筐体本体１００，１６０ａとは別に内歯車１１２ｂ，１６１を有する部材を備えた場合に比べ、部品の数を減らすことができる。
【００２６】
もしくは、上述した筐体本体１６０ａが、複数の遊星歯車５２２を取り囲む側面部１７１と、開度情報つき回転部材５２４を覆う天井部１７３とを有していることが望ましい。この場合、内歯車１６１は、側面部１７１に設けられている。トルク受け部１６０ｂが、側面部１７１から弁棒５８の直径方向に突出する支持材１６５と、支持材１６５に設けられる取っ手１６３とを有している。取っ手１６３は、側面部１７１を弁棒５８の回転方向に沿うように取り囲む。この場合、窓１７０が、天井部１７３に設けられる。
【００２７】
このように構成すると、取っ手１６３が、弁棒５８の回転方向に沿うように側面部１７１を取り囲んでいるので、窓１７０やそこから見える開度情報を取っ手１６３が遮らない。
【００２８】
また、上述した太陽歯車１２０ａ，５２０ａ，６２０と遊星歯車１２２，５２２と内歯車１１２ｂ，１６１，２００とが、弁棒２８，５８に直交する平面上でかみあっていることが望ましい。
【００２９】
太陽歯車１２０ａ，５２０ａ，６２０と遊星歯車１２２，５２２と内歯車１１２ｂ，１６１，２００とが平面でかみ合っているので、太陽歯車１２０ａ，５２０ａ，６２０と遊星歯車１２２，５２２とがかみ合う平面と遊星歯車１２２，５２２と内歯車１１２ｂ，１６１，２００とがかみ合う平面とが異なる場合に比べ、歯車の軸にかかる曲げモーメントが小さくなる。曲げモーメントが小さくなるので、操作部３２，６２，８２全体としての丈夫さは向上する。
【００３０】
また、上述した開度情報つき回転部材１２４が、弁棒２８に対して傾斜する傾斜面１２４ａを有していることが望ましい。この場合、開度情報が、傾斜面１２４ａに示されている。窓１３０が、傾斜面１２４ａのうち開度情報に対向する部分に設けられている。
【００３１】
傾斜面１２４ａが弁棒２８に対して傾斜しており、かつ、傾斜面１２４ａのうち開度情報に対向する部分に窓１３０が設けられているので、開閉弁の側面に弁棒２８の回転軸方向からもその回転軸に直交する方向からも容易に開度情報を見ることができる。
【００３２】
また、上述した開度表示機能つき開閉弁５０，７０は、弁箱５２と、弁箱５２に取付けられる弁蓋５７とをさらに備えることが望ましい。この場合、弁蓋５２は、弁棒５８，７８が貫通するガイド孔５７０を有している。ガイド孔５７０の内周面にはめねじ５７０ａが形成されている。弁棒５８，７８が、めねじ５７０ａにねじ込まれるおねじ部５８ａ，７８ａと、操作部６２，８２が設けられる操作設置部５８ｂ，７８ｂとを有している。
丈夫さは向上する。
【００３３】
弁棒５８は回転可能であり、かつ、弁蓋５７のめねじ５７０ａにねじ込まれている。これにより、弁棒５８はその回転に伴いその回転軸方向に進んだり退いたりする。その結果、弁棒５８は、弁体５４０を弁座５２８へ押し付けたり離したりすることとなる。このとき、弁箱５２から操作部６２，８２までの距離を見れば、弁体５４０と弁座５２８との距離すなわち弁体５４０の開度が判明する。これに加えて、操作部６２，８２は開度表示機能を有する。その結果、異なる方向から弁の開度を目で見ることができる。
【発明の効果】
【００３４】
本発明にかかる開度表示機能つき開閉弁は、開度表示機能を有する操作部が外部からの力によってその機能を失う可能性を低くすることができる。
【図面の簡単な説明】
【００３５】
【図１】本発明の第１実施例にかかる開度表示機能つき開閉弁の縦断面図である。
【図２】本発明の第１実施例にかかる開度表示機能つき開閉弁の平面図である。
【図３】図１のＡ−Ａ断面図である。
【図４】本発明の第１実施例にかかる開度情報つき回転部材の平面図である。
【図５】本発明の第２実施例にかかる開度表示機能つき開閉弁の縦断面図である。
【図６】本発明の第２実施例にかかる開度表示機能つき開閉弁の平面図である。
【図７】図５のＡ−Ａ断面図である。
【図８】図５のＢ−Ｂ断面図である。
【図９】本発明の第２実施例にかかる開度情報の形態を示す図である。
【図１０】本発明の第２実施例にかかる台座部材の支柱の動きを示す図である。
【図１１】本発明の第３実施例にかかる開度表示機能つき開閉弁の縦断面図である。
【図１２】本発明の第３実施例にかかる開度表示機能つき開閉弁の平面図である。
【発明を実施するための形態】
【００３６】
<第１実施例>
以下、本発明の第１実施例を図面に基づき説明する。
図１から図４は、本発明の第１実施例を示している。図１ないし図４によって本実施例にかかる開閉弁である開度表示機能つき開閉弁２０の全体の構造を説明する。図１は開度表示機能つき開閉弁２０の縦断面図である。図２は開度表示機能つき開閉弁２０の平面図である。図３は図１のＡ−Ａ断面図である。図４は開度情報つき回転部材１２４の平面図である。
【００３７】
図示しないガスボンベには、約１５ＭＰａの窒素ガスが充填可能とされている。そのガスボンベの首部に本実施例にかかる開度表示機能つき開閉弁２０が取付けられる（本実施例にかかる開度表示機能つき開閉弁２０が、窒素ガス充填するためのガスボンベに代えて、アルゴンガスその他のガスを充填するためのガスボンベに取付けられて良いことは言うまでもない）。開度表示機能つき開閉弁２０は弁箱２２を備える。弁箱２２に形成された脚ネジ部２２０がそのガスボンベの首部にネジ止め固定される。その弁箱２２の途中部分から出口ノズル２２２が横向きに突出している。脚ネジ部２２０の下面に開口したガス入口２２４が、入口路２２６と閉止弁座２２８の筒孔内と閉止弁室２３０と出口路２３２とを順に経由して、出口ノズル２２２の端面に開口したガス出口２３４へ通じている。閉止弁室２３０に閉止部材２４が収容されている。閉止部材２４の外周部にはおねじが設けられている。閉止弁室２３０の内壁にはめねじが設けられている。これらおねじとめねじとが嵌り合っているので、閉止部材２４は、閉止弁室２３０の中を自由に昇降できる。そのため、閉止部材２４に嵌め込まれている合成樹脂製の弁体２４０は、閉止弁座２２８に接したり閉止弁座２２８から離れたりできる。
【００３８】
弁箱２２のうち閉止弁室２３０の上側の部分にネジ孔２３６が形成される。そのネジ孔２３６に弁蓋２６がネジ止めされる。弁蓋２６が有する孔を弁棒２８が貫通する。弁蓋２６の孔の内周面と弁棒２８の外周面との間は、２つのＯリング３０によってシールされる。これにより、弁棒２８は、弁蓋２６に対して時計回りにも反時計回りにも回転できる。弁棒２８の下部が閉止部材２４に連結される。弁棒２８の上部に操作部３２が設けられる。操作部３２が回ると弁棒２８も回る。弁棒２８が回ると閉止部材２４も回る。
【００３９】
内筒１１０の筒孔１１０ａ（これらの詳細は後述する）内に、ハンドルナット３４と押し上げバネ３６とが設けられる。その押し上げバネ３６の弾性力によって、弁棒２８の途中に設けた環状突起２８０が弁蓋２６の内壁２６２に接する。
【００４０】
入口路２２６の途中部から分岐された吹き出し路２３８に安全弁３８が設けられる。この安全弁３８は、合成樹脂製ガスケット３８０と銅合金製の破裂板３８２と押圧用プラグ３８４と三元共晶合金製の可溶栓３８６とによって構成される。
【００４１】
操作部３２は、カップ型ハンドル１００（本実施例において、弁棒２８に設けられる筐体にあたる）と、カップ型ハンドル１００に収容される遊星歯車機構１０２とを有している。
【００４２】
カップ型ハンドル１００は、内筒１１０と外筒１１２とこれら両筒を連結する頂壁１１４とからなる。内筒１１０と外筒１１２と頂壁１１４とは、不透明な合成樹脂によって一体成形されている。外筒１１２の内周面には、内歯車１１２ｂが形成されている。外筒１１２の外周面には、トルク受け部１１２ｃが設けられている。作業者は、このトルク受け部１１２ｃを指でつかんでカップ型ハンドル１００にトルクを与える。これにより、カップ型ハンドル１００ひいては弁棒２８が回転する。
【００４３】
カップ型ハンドル１００のハンドル隅肉部分１１２ａに、経線方向へ延びる覗き窓１３０が設けられる。その覗き窓１３０は、窓孔１３０ａと、その窓孔１３０ａを覆う透明なカバー部材１３０ｂとによって構成される。カバー部材１３０ｂは、その外面形状がカップ型ハンドル１００の外面形状に対応するように合成樹脂によって形成されている。これにより、開度表示機能つき開閉弁２０をカップ型ハンドル１００が設けられている方向から見ると、図２に示すように、カバー部材１３０ｂを介してカップ型ハンドル１００の中が見える。
【００４４】
カップ型ハンドル１００の内筒１１０と外筒１１２との間の環状空間に遊星歯車機構１０２が収容される。遊星歯車機構１０２の回転軸は、内筒１１０や外筒１１２（ひいては弁棒２８）の回転軸とほぼ同軸上にある。
【００４５】
図１と図３とを参照しつつ、遊星歯車機構１０２について説明する。遊星歯車機構１０２は、台座部材１２０と、遊星歯車１２２と、開度情報つき回転部材１２４とを有している。台座部材１２０は、弁蓋２６の六角形頭部２６０に動かないよう強く嵌め込まれる。図３に示すように、台座部材１２０には太陽歯車１２０ａが形成されている。太陽歯車１２０ａは、カップ型ハンドル１００の内筒１１０の底部を取り囲むように配置される。その中心軸は、遊星歯車機構１０２の回転軸に一致する。これにより、太陽歯車１２０ａは、弁棒２８を貫通させる状態で、カップ型ハンドル１００内に配置固定されることとなる。遊星歯車１２２は、図３に示すように、太陽歯車１２０ａにかみ合う。開度情報つき回転部材１２４には、遊星歯車１２２の回転軸１２２ａが嵌めこまれている。このため、開度情報つき回転部材１２４には、遊星歯車１２２の回転軸１２２ａが嵌るための穴が設けられている。また、遊星歯車１２２は、外筒１１２の内周面の内歯車１１２ｂにもかみ合う。
【００４６】
外筒１１２の内周面の内歯車１１２ｂは、カップ型ハンドル１００がトルクを受けると回る。内歯車１１２ｂが回るとこれにかみ合う遊星歯車１２２も回る。遊星歯車１２２が回ると、開度情報つき回転部材１２４も回る。
【００４７】
図１と図４とを参照しつつ、本実施例にかかる開度情報つき回転部材１２４について説明する。本実施例において、開度情報つき回転部材１２４は、赤い合成樹脂を素材として形成されている。開度情報つき回転部材１２４には、ハンドル隅肉部分１１２ａの内周面（ひいては覗き窓１３０の内周面）に対向する傾斜面１２４ａが設けられる。この傾斜面１２４ａは、図１で言えば上から下に向かう方向へ末広がりとなるよう傾斜している。この傾斜面１２４ａに開度情報が印刷されている。開度情報は、弁座２２８に対する弁体２４０の開き具合（開度）を示す。
【００４８】
開度情報つき回転部材１２４の傾斜面１２４ａに形成された開度情報について、図４に基づいて説明する。開度情報つき回転部材１２４の傾斜面１２４ａには、開度情報がほぼ全面にわたって印刷されている。即ち、ほぼπ/２[rad]の角度範囲で設けた閉じ状態表示領域１４０と、ほぼπ[rad]の角度範囲で渦巻き状に形成した開き途中表示領域１４２とが、青色によって帯状に印刷される。閉じ状態表示領域１４０のほぼ中央部に、『閉』の地色文字が切り絵状に形成される。全開状態表示領域１４４は、地色によってほぼπ/２[rad]の角度範囲で設けられ、その全開状態表示領域１４４のほぼ中央部に、『全開』の青色文字が印刷される。このような開度情報の配置は、開度と（ひいては弁棒２８が何回転できるかということと）遊星歯車機構１０２の減速比とに基づいて、自ずと導き出されるものである。
【００４９】
なお、図２に示すように、操作部３２の頂壁１１４にはハンドル操作用表示情報１４６が印刷されている。このハンドル操作用表示情報１４６は、Ｃ字状に着色した表示面１４６ａと、開閉方向を示す２つの矢印１４６ｂ・１４６ｃと、その方向を表示する２つの文字部分１４６ｄ・１４６ｅとによって構成される。
【００５０】
次に、本実施例にかかる開度表示機能つき開閉弁２０の動作について説明する。図２で言えば時計回りの方向へカップ型ハンドル１００を回転操作すると弁棒２８が回転する。弁棒２８が回転すると閉止部材２４も回転する。このとき、閉止部材２４は下降する。閉止部材２４が十分に下降すると、閉止部材２４の下部に設けた弁体２４０が閉止弁座２２８に接し、弁体２４０が閉止弁座２２８を塞ぐ。この閉弁状態では、図２に示すように、開度情報つき回転部材１２４の傾斜面１２４ａに印刷された『閉』の表示部分をカップ型ハンドル１００の覗き窓１３０から透明なカバー部材１３０ｂを通して覗くことが可能である。
【００５１】
次に、図２で言えば反時計回りの方向へカップ型ハンドル１００を回転操作すると弁棒２８が回転する。弁棒２８が回転すると閉止部材２４も回転する。このとき、閉止部材２４は上昇する。閉止部材２４の弁体２４０は閉止弁座２２８から離れていく。
【００５２】
このとき、カップ型ハンドル１００が回転するので、外筒１１２の内周面の内歯車１１２ｂも回転する。内歯車１１２ｂが回転するので、これにかみ合う遊星歯車１２２も回転する。台座部材１２０が弁蓋２６の六角形頭部２６０に動かないよう強く嵌め込まれているので、太陽歯車１２０ａは回転しない。この際、台座部材１２０に形成されている太陽歯車１２０ａと、遊星歯車１２２と、開度情報つき回転部材１２４とが遊星歯車機構１０２を構成しているので、開度情報つき回転部材１２４は弁棒２８の周りを回る。
【００５３】
開度情報つき回転部材１２４が弁棒２８の周りを回るため、この開弁操作時において、覗き窓１３０には、まず、開き途中表示領域１４２の周方向の一部分が対向する。すなわち、覗き窓１３０の外から、開き途中表示領域１４２の周方向の一部分が見える。引き続いて、覗き窓１３０には、全開状態表示領域１４４が対向する。すなわち、覗き窓１３０の外から、全開状態表示領域１４４が見える。
【００５４】
以上のようにして、本実施例にかかる開度表示機能つき開閉弁２０は、次に述べる効果を得ることができる。
【００５５】
第１の効果は、操作部３２が外部からの力によってその開度表示機能を失う可能性を低くすることができる点である。操作部３２が受ける力をカップ型ハンドル１００の中の遊星歯車機構１０２が支えているので、カップ型ハンドル１００と弁棒２８との接続箇所を経由するルートだけでなく、遊星歯車機構１０２を経由するルートでも、操作部３２が受ける力が弁棒２８へ伝えられる。それぞれのルートにかかる負荷は、従来の開閉弁に比べ小さくなる。その結果、操作部３２が外部からの力によってその開度表示機能を失う可能性を低くすることができている。この効果は、太陽歯車１２０ａと遊星歯車１２２と内歯車１１２ｂとが、弁棒２８に直交する同一平面上でかみあっていることで、より大きくなっている。
【００５６】
第２の効果は、覗き窓１３０やそこから見える開度情報を遮らないようトルク受け部１１２ｃを設けることが容易となる点である。弁棒２８を回転させるためのトルクをカップ型ハンドル１００を介して受けることができるためである。
【００５７】
第３の効果は、部品点数を減らしたことである。本実施例にかかる開度表示機能つき開閉弁２０において、内歯車１１２ｂは、カップ型ハンドル１００の内周面に形成されている。これにより、カップ型ハンドル１００とは別に内歯車１１２ｂが形成されている部材を取付ける必要がなくなっている。
【００５８】
第４の効果は、開度表示機能つき開閉弁２０の横側から上側に至るまでの広い視認可能領域から開度情報を覗くことが可能となっている点である。このため、本実施例にかかる開度表示機能つき開閉弁２０は、その開閉状態を容易かつ手間なく確認できる。本実施例にかかる開度表示機能つき開閉弁２０において、ハンドル隅肉部分１１２ａに覗き窓１３０を形成するとともに開度情報つき回転部材１２４の傾斜面１２４ａに開度情報を示したことが、そのような効果を奏している。
【００５９】
<第２実施例>
以下、本発明の第２実施例を図面に基づき説明する。
図５から図１０は本実施例にかかる開度表示機能つき開閉弁を示す。図５は本実施例にかかる開度表示機能つき開閉弁５０の縦断面図である。図６は、本実施例にかかる開度表示機能つき開閉弁５０の平面図である。図７は、図５のＡ−Ａ断面図である。図８は、図５のＢ−Ｂ断面図である。図９は、本実施例にかかる開度表示機能つき開閉弁５０を開いているのときの、覗き窓１７０に表れた開度情報の形態を示す図である。図１０は、本実施例にかかる開度表示機能つき開閉弁５０を開いているのときの、台座部材５２０の支柱５２０ｂの動きを示す図である。
【００６０】
本実施例にかかる開度表示機能つき開閉弁５０は、配管（図示せず）の中間部に接続される、いわゆる配管弁である。この開度表示機能つき開閉弁５０の弁箱５２内には入口路５２６と閉止弁室５３０と閉止弁座５２８と出口路５３２とを順に形成してある。閉止弁室５３０内には閉止部材５４が収容されている。閉止部材５４は閉止弁座５２８に対し進退可能である。
【００６１】
上記の弁箱５２の一端（図５における上端）には筒穴５３６が設けてある。この筒穴５３６内の奥部に閉止弁室５３０が形成してある。この筒穴５３６は、内蓋部材５６と外蓋部材５７（これが本実施例にかかる弁蓋である）とで空気が浸入しないように蓋してある。内蓋部材５６と外蓋部材５７とにはガイド孔５６０，５７０が設けてある。これらのガイド孔５６０，５７０に弁棒５８と閉止部材５４とを通してある。ガイド孔５７０の内周面にはめねじ５７０ａが設けられている。
【００６２】
弁棒５８は、おねじ部５８ａと、操作設置部５８ｂとを有している。おねじ部５８ａは、ガイド孔５７０の内周面のめねじ５７０ａにねじ込まれる。操作設置部５８ｂは、外蓋部材５７から外方へ突出している。操作設置部５８ｂに、操作部６２が設けられる。
【００６３】
内蓋部材５６は、上述した筒穴５３６へネジ止めにより固定してある。内蓋部材５６と弁箱５２との間にはＯリング６０が配置してある。これにより閉止弁室５３０からその中の流体が漏れたり外部から空気が浸入したりしないように蓋されている。
【００６４】
図５に示すように、内蓋部材５６は、閉止部材５４の一端を収容している。両者間の隙間はＯリング６１で塞がれている。また、この内蓋部材５６と閉止部材５４との隙間には、外部から摩耗粉などの異物が閉止弁室５３０へ侵入しないように、ダストシール４０が設けてある。
【００６５】
閉止部材５４のうち閉止弁座５２８に対面する内側端面に弁体５４０が設けてある。図１に示すように弁箱５２へ組み付けた状態では、閉止部材５４が閉止弁座５２８に対し進退することで、弁体５４０が閉止弁座５２８に接したり離れたりする。これにより入口路５２６と出口路５３２とが通じたり通じなくなったりする。
【００６６】
図５と図８とに示すように、外蓋部材５７の先端部分の側面には、一対のくぼみ部５７ａが設けられている。くぼみ部５７ａの内面は、平坦である。それらの面は弁棒５８の中心軸方向へ沿っている。それらの面は赤く塗られている。
【００６７】
操作部６２は、ハンドル部１６０（本実施例における、操作部６２の筐体にあたる。）と、遊星歯車機構１６２とを有している。第１実施例と同様に、遊星歯車機構１６２は、ハンドル部１６０に収容される。
【００６８】
図５および図６を参照しつつ、本実施例にかかるハンドル部１６０の構成を説明する。本実施例にかかるハンドル部１６０は、筐体本体１６０ａと、操作ハンドル１６０ｂ（本実施例にかかるトルク受け部）とを有する。筐体本体１６０ａは、遊星歯車機構１６２を収容する。操作ハンドル１６０ｂは、筐体本体１６０ａに設けられる。操作ハンドル１６０ｂは、弁棒５８を回転させるためのトルクを受ける。
【００６９】
筐体本体１６０ａは、側面部１７１と、天井部１７３とを有していることが望ましい。側面部１７１は、遊星歯車機構１６２が有する複数の遊星歯車５２２（後述）を取り囲む。天井部１７３は、開度情報つき回転部材５２４を覆う。
【００７０】
天井部１７３には、覗き窓１７０が設けられる。覗き窓１７０は、開度情報つき回転部材５２４（後述）の平坦面５２４ａに対向する位置に設けられている。本実施例においては、覗き窓１７０に透明なカバー部材を挿入していない。しかしながら、覗き窓１７０に透明なカバー部材を挿入してよいことは言うまでもない。
【００７１】
操作ハンドル１６０ｂは、支持材１６５と、支持材１６５に設けられる取っ手１６３とを有している。支持材１６５は、側面部１７１から弁棒５８の直径方向に突出する。取っ手１６３は、側面部１７１を弁棒５８の回転方向に沿うように取り囲む。
【００７２】
図５および図７を参照しつつ、本実施例にかかる遊星歯車機構１６２の構成を説明する。本実施例にかかる遊星歯車機構１６２は、台座部材５２０と、３つの遊星歯車５２２と（遊星歯車５２２は少なくとも１つあれば良いが、これは多い方が望ましい）、開度情報つき回転部材５２４とを有している。台座部材５２０は、一対の支柱５２０ｂを有している。台座部材５２０の支柱５２０ｂは、外蓋部材５７のくぼみ部５７ａに差し込まれる。これにより、台座部材５２０は、弁棒５８の中心軸方向へ自由に動くことができる。そのため、台座部材５２０は、弁棒５８が回転に伴って上下するのに伴い、上下する。一方、台座部材５２０は、くぼみ部５７ａにより動きが拘束されるため、弁棒５８の回転方向へ動くことができない。
【００７３】
また、図７に示すように、台座部材５２０には太陽歯車５２０ａが形成されている。これにより、太陽歯車５２０ａは、弁箱５２へ間接的に固定されることとなる。太陽歯車５２０ａは、弁棒５８を取り囲むように配置される。太陽歯車５２０ａの中心軸は、遊星歯車機構１０２の回転軸に一致する。遊星歯車５２２は、図８に示すように、太陽歯車５２０ａにかみ合う。開度情報つき回転部材５２４には、遊星歯車５２２の回転軸５２２ａが嵌めこまれている。このため、開度情報つき回転部材５２４には、遊星歯車５２２の回転軸５２２ａが嵌るための穴が設けられている。また、遊星歯車５２２は、側面部１７１の内周面の内歯車１６１にもかみ合う。
【００７４】
本実施例にかかる開度情報つき回転部材５２４は、赤い合成樹脂によって構成されている。開度情報つき回転部材５２４には、平坦面５２４ａが設けられる。この平坦面５２４ａに開度情報が印刷されている。
【００７５】
開度情報つき回転部材５２４の平坦面５２４ａに形成された開度情報の形態は、斜面に印刷されているか平面に印刷されているかという点を除けば、第１実施例にかかる開度情報と同様である。したがって、ここではその詳細な説明は繰返さない。ただし、このことは、開度情報の形態の具体的な形態が図４に示されたものに限定されることを意味しない。たとえば、閉じ状態表示領域１４０や、開き途中表示領域１４２や、全開状態表示領域１４４の色は、第１実施例で述べたものに限定されない。もちろん、開度情報の配置も、第１実施例で述べたものに限定されない。第１実施例で述べた通り、開度情報の配置は、開度と（ひいては弁棒５８が何回転できるかということと）遊星歯車機構１６２の減速比とに基づいて、自ずと導き出されるものだからである。
【００７６】
以下、本実施例にかかる開度表示機能つき開閉弁５０の動作について説明する。図６で言えば時計回りの方向へ操作ハンドル１６０ｂを回転操作すると弁棒５８が回転する。弁棒５８は回転に伴って図５で言えば下の方向へ移動する。このとき、閉止部材５４は弁棒５８に押されて下降する。閉止部材５４が十分に下降すると、閉止部材５４の下部に設けた弁体５４０が閉止弁座５２８に接する。これにより、弁体５４０が閉止弁座５２８を塞ぐ。このとき、操作ハンドル１６０ｂは、図９の（Ａ）に示す状態となる。覗き窓１７０には「全閉」の文字が示される。
【００７７】
次に、図６で言えば反時計回りの方向へ操作ハンドル１６０ｂを回転操作すると弁棒５８が回転する。弁棒５８は回転に伴って図５で言えば上の方向へ移動する。このとき、閉止部材５４は弁棒５８に引っ張られて上昇する。閉止部材５４の弁体５４０は閉止弁座５２８から離れていく。
【００７８】
このとき、操作ハンドル１６０ｂの回転に伴って筐体本体１６０ａが回転するので、筐体本体１６０ａの内周面の内歯車１６１も回転する。内歯車１６１が回転するので、これにかみ合う遊星歯車５２２も回転する。台座部材５２０の支柱５２０ｂが外蓋部材５７のくぼみ部５７ａに動きを拘束されているので、太陽歯車５２０ａは回転しない。この際、開度情報つき回転部材５２４は弁棒５８の周りを回る。
【００７９】
開度情報つき回転部材５２４が弁棒５８の周りを回るため、この開弁操作時において、覗き窓１７０には、開き途中表示領域の周方向の一部分が対向する。その後、覗き窓１７０の外から、開き途中表示領域１４２の周方向の一部分が見える。引き続いて、覗き窓１７０には、全開状態表示領域が対向する。すなわち、図９の（Ｂ）〜（Ｄ）に示すように、覗き窓１７０の端に「全閉」の文字が隠れていき、「全開」の文字が表れる。
【００８０】
この間、開弁操作時において、弁棒５８は回転に伴って図５で言えば上の方向へ移動する。このとき、弁棒５８の上昇に伴って、台座部材５２０も上昇する。外蓋部材５７は、弁箱５２に固定されるので、この間、上昇しない。これにより、図１０に示すように、外蓋部材５７のくぼみ部５７ａの内面が少しずつ見えるようになる。これにより、開度表示機能つき開閉弁５０の側面からも弁体５４０の開度を把握することができる。
【００８１】
以上のようにして、本実施例にかかる開度表示機能つき開閉弁５０は、次に述べる効果を得ることができる。
【００８２】
第１の効果は、操作部６２が外部からの力によってその開度表示機能を失う可能性を低くすることができる点である。筐体本体１６０ａが受ける力をその中の遊星歯車機構が支えているので、筐体本体１６０ａと弁棒５８との接続箇所を経由するルートだけでなく、遊星歯車機構５２０を経由するルートでも、操作部６２が受ける力が弁棒５８へ伝えられる。それぞれのルートにかかる負荷は、従来の開閉弁に比べ小さくなる。その結果、操作部６２が外部からの力によってその開度表示機能を失う可能性を低くすることができている。この効果は、太陽歯車5２０ａと遊星歯車５２２と内歯車１６１ｂとが、弁棒５８に直交する同一平面上でかみあっていることで、より大きくなっている。
【００８３】
第２の効果は、開度表示機能つき開閉弁５０の一番上に覗き窓１７０を設けることが可能となっていることである。これにより、開度表示機能つき開閉弁５０の上から開度表示を見ることが可能となっている。
【００８４】
第３の効果は、互いに直交する２方向から開閉度を視認できるようにしたことである。これは、弁棒７８の先端部分が細くなっており、その細くなった先端部分が台座部材５２０を貫通しており、かつ、台座部材５２０が有する支柱５２０ｂが外蓋部材５７に動きを拘束されることによる。
【００８５】
第４の効果は、部品点数を減らしたことである。本実施例にかかる開度表示機能つき開閉弁５０において、内歯車１６１は、側面部１７１の内周面に形成されている。これにより、筐体本体１６０ａとは別に内歯車１６１が形成されている部材を取付ける必要がなくなっている。
【００８６】
<第３実施例>
以下、本発明の第３実施例を図面に基づき説明する。
図１１と図１２とは本実施例にかかる開度表示機能つき開閉弁７０を示す。図１１は本実施例にかかる開度表示機能つき開閉弁７０の縦断面図である。図１２は、本実施例にかかる開度表示機能つき開閉弁７０の平面図である。
【００８７】
なお、以下の説明において、第２実施例と同一の部品には同一の符号を付してある。その機能は第２実施例と同様である。したがって、ここではその詳細な説明は繰返さない。
【００８８】
図１１に示すように、本実施例にかかる開度表示機能つき開閉弁７０は、第２実施例にかかる弁棒５８と操作部６２とに代え、弁棒７８と操作部８２とを有する。
【００８９】
弁棒７８は、内蓋部材５６と外蓋部材５７とのガイド孔５６０，５７０に通されている。この弁棒７８の上端には、操作部８２が設けられている。この弁棒７８は、外蓋部材５７から外へ出ている部分のサイズが第２実施例にかかる弁棒５８と異なっていることを除けば、第２実施例の弁棒５８と同様の構造である。すなわち、弁棒７８は、おねじ部７８ａと、操作設置部７８ｂとを有している。おねじ部７８ａは、ガイド孔５７０の内周面のめねじ５７０ａにねじ込まれる。操作設置部７８ｂは、外蓋部材５７から外方へ突出している。操作設置部７８ｂに、操作部８２が設けられる。外蓋部材５７から外へ出ている部分のサイズが第２実施例にかかる弁棒５８と異なっているのは、第２実施例にかかる操作部６２に代えて操作部８２が設けられるためである。
【００９０】
操作部８２は、筐体１８０と、遊星歯車機構１８２と、ハンドル本体１８４とを有している。遊星歯車機構１８２は、筐体１８０に収容される。ハンドル本体１８４は、弁棒７８に固定されている。これにより、ハンドル本体１８４にトルクを与えると、弁棒７８が回転する。
【００９１】
図１１および図１２を参照しつつ、本実施例にかかる筐体１８０の構成を説明する。本実施例にかかる筐体１８０は、台座部材１８０ａと、蓋部材１８０ｂとを有する。
【００９２】
蓋部材１８０ｂが台座部材１８０ａの中に入ることで空間が形成される。台座部材１８０ａと蓋部材１８０ｂとの隙間はＯリング１８０ｃで塞がれる。遊星歯車機構１８２は、この空間に収容される。台座部材１８０ａは、一対の支柱６２０ｂを有する。これらの支柱６２０ｂは、外蓋部材５７のくぼみ部５７ａに差し込まれる。台座部材１８０ａにおけるその他の点は、第２実施例における台座部材５２０と同様である。したがって、ここではその詳細を説明しない。
【００９３】
蓋部材１８０ｂは、透明な樹脂で形成された部材である。蓋部材１８０ｂは、その口にあたる部分が図１１における下方向を向くように配置される。蓋部材１８０ｂは、弁棒７８の操作設置部７８ｂに固定されている。これにより、蓋部材１８０ｂは、台座部材１８０ａの中で、弁棒７８と共回りする。図１２に示すように、蓋部材１８０ｂには、覗き窓１９０が設けられる。覗き窓１９０は、開度情報つき回転部材５２４の平坦面５２４ａ（本実施例において、開度情報つき回転部材５２４は、遊星歯車機構１８２を構成する部材の１つである。）に対向する位置に設けられている。本実施例における覗き窓１９０は、蓋部材１８０ｂのうち、閉じ状態表示領域１４０や、開き途中表示領域１４２や、全開状態表示領域１４４に対向する部分を塗装することにより（ただし覗き窓１９０の部分が塗装されない）形成される。また、蓋部材１８０ｂには、内歯車２００が形成されている。内歯車２００が形成されている位置は、遊星歯車機構１８２を取り囲む位置である。
【００９４】
図１１を参照しつつ、本実施例にかかる遊星歯車機構１８２の構成を説明する。本実施例にかかる遊星歯車機構１８２は、太陽歯車６２０と、遊星歯車５２２と、開度情報つき回転部材５２４とを有している。太陽歯車６２０は、台座部材１８０ａの表面に形成される。太陽歯車６２０が形成される位置は、台座部材１８０ａと蓋部材１８０ｂとによって形成される空間の中の、弁棒７８を取り囲む位置である。太陽歯車６２０の中心軸は弁棒７８の回転軸に一致している。遊星歯車５２２は、太陽歯車６２０に加え、内歯車２００とかみ合う。開度情報つき回転部材５２４には、遊星歯車５２２の回転軸５２２ａが嵌めこまれている。このため、開度情報つき回転部材５２４には、遊星歯車５２２の回転軸５２２ａが嵌めるための穴が設けられている。
【００９５】
本実施例にかかる開度表示機能つき開閉弁７０の動作は、第２実施例にかかる開度表示機能つき開閉弁５０の動作とほぼ同様である。したがって、ここではその詳細な説明は繰返さない。
【００９６】
以上のようにして、本実施例にかかる開度表示機能つき開閉弁７０は、次に述べる効果を得ることができる。
【００９７】
第１の効果は、操作部８２が外部からの力によってその開度表示機能を失う可能性を低くすることができる点である。蓋部材１８０ｂが受ける力は、蓋部材１８０ｂと弁棒７８との接続箇所を経由するルートだけでなく、遊星歯車機構１８０を経由するルートでも、弁棒５８へ伝えられる。さらに、操作部８２が受ける力は、台座部材１８０ａを経由して弁箱５２へも伝えられる。これにより、それぞれのルートにかかる負荷は、従来の開閉弁に比べ小さくなる。その結果、操作部８２が外部からの力によってその開度表示機能を失う可能性を低くすることができている。この効果は、太陽歯車６２０と遊星歯車５２２と内歯車２００とが、弁棒７８に直交する同一平面上でかみあっていることで、より大きくなっている。
【００９８】
第２の効果は、互いに直交する２方向から開閉度を視認できるようにしたことである。これは、弁棒７８の先端部分が細くなっており、その細くなった先端部分が台座部材１８０ａを貫通しており、かつ、台座部材１８０ａが有する支柱６２０ｂが外蓋部材５７に動きを拘束されていることによる。
【００９９】
第３の効果は、部品点数を減らしたことである。本実施例にかかる開度表示機能つき開閉弁７０において、内歯車２００は、蓋部材１８０ｂの内周面に形成されている。これにより、蓋部材１８０ｂとは別に内歯車２００が形成されている部材を取付ける必要がなくなっている。
【０１００】
上記の各実施例で説明した開度表示機能つき開閉弁は、本発明の技術的思想を具体化するために例示したものであり、各部材の形状や構造、配置などをこの実施形態のものに限定するものではなく、種々の変更を加え得るものである。
【符号の説明】
【０１０１】
２０，５０，７０   開度表示機能つき開閉弁
２２，５２  弁箱
２４，５４  閉止部材
２６  弁蓋
２８，５８，７８   弁棒
３０，６０，６１，１８０ｃ     Ｏリング
３２，６２，８２   操作部
３４  ハンドルナット
３６  バネ
３８  安全弁
４０  ダストシール
５０  開閉弁
５６  内蓋部材
５７  外蓋部材
５７ａ      くぼみ部
５８ａ，７８ａ     おねじ部
５８ｂ，７８ｂ     操作設置部
１００      カップ型ハンドル
１０２，１６２，１８２   遊星歯車機構
１１０      内筒
１１０ａ    筒孔
１１２ｃ    トルク受け部
１１２      外筒
１１２ａ    ハンドル隅肉部分
１１２ｂ，１６１，２００ 内歯車
１１４      頂壁
１２０，１８０ａ，５２０ 台座部材
１２０ａ，５２０ａ，６２０     太陽歯車
１２２，５２２     遊星歯車
１２２ａ，５２２ａ 回転軸
１２４，５２４     開度情報つき回転部材
１２４ａ    傾斜面
１３０，１７０，１９０   覗き窓
１３０ａ    窓孔
１３０ｂ    カバー部材
１４２      途中表示領域
１４４      全開状態表示領域
１４６      ハンドル操作用表示情報
１４６ａ    表示面
１４６ｂ，１４６ｃ 矢印
１４６ｄ，１４６ｅ 文字部分
１６０      ハンドル部
１６０ａ    筐体本体
１６０ｂ    操作ハンドル
１６３      取っ手
１６５      支持材
１７１      側面部
１７３      天井部
１８０      筐体
１８０ｂ    蓋部材
１８４      ハンドル本体
２２０      脚ネジ部
２２２      出口ノズル
２２４      ガス入口
２２６，５２６     入口路
２２８，５２８     閉止弁座
２３０，５３０     閉止弁室
２３２，５３２     出口路
２３４      ガス出口
２３６      ネジ孔
２３８      吹き出し路
２４０，５４０     弁体
２６０      六角形頭部
２６２      内壁
２８０      環状突起
３８０      合成樹脂製ガスケット
３８２      破裂板
３８４      押圧用プラグ
３８６      可溶栓
５２０ｂ，６２０ｂ 支柱
５２４ａ    平坦面
５３６      筒穴
５６０，５７０     ガイド孔
５７０ａ    めねじ
【図１】
2011052817.tif 000003
【図２】
2011052817.tif 000004
【図３】
2011052817.tif 000005
【図４】
2011052817.tif 000006
【図５】
2011052817.tif 000007
【図６】
2011052817.tif 000008
【図７】
2011052817.tif 000009
【図８】
2011052817.tif 000010
【図９】
2011052817.tif 000011
【図１０】
2011052817.tif 000012
【図１１】
2011052817.tif 000013
【図１２】
2011052817.tif 000014